【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  複数の画像データを記憶する記憶手段と、
前記記憶手段より複数の前記画像データを選択する画像選択手段と、
前記画像選択手段が選択した複数の前記画像データを配置するパターンの種類を選択する配置パターン選択手段と、
前記画像選択手段が選択した複数の前記画像データを、選択された画像データの数と、選択された配置パターンの種類とに応じて変形し、変形後の画像である変形画像を配置した配置後画像データを生成する画像配置手段と
を具備することを特徴とする画像処理装置。
【請求項２】  前記画像配置手段は、アスペクト比を変えずに前記画像データの大きさを変更して、前記配置後画像データを生成することを特徴とする請求項１に記載の画像処理装置。
【請求項３】  前記配置パターン選択手段は、前記配置パターンの種類として、予め定められた円形内に同心円状または螺旋状に複数の前記変形画像を等間隔に配置するパターンを選択可能なことを特徴とする請求項１に記載の画像処理装置。
【請求項４】  前記配置パターン選択手段は、前記配置パターンの種類として、同心円状に多重円となるよう複数の前記変形画像を等間隔に配置するパターンを選択可能なことを特徴とする請求項１に記載の画像処理装置。
【請求項５】  前記配置パターン選択手段は、前記配置パターンの種類として、同心円状に複数の前記変形画像が収まり、かつ、複数の前記変形画像が重ならないよう配置するパターンを選択可能なことを特徴とする請求項１に記載の画像処理装置。
【請求項６】  前記配置パターン選択手段は、前記画像が四辺を有する方形である場合に、前記配置パターンの種類として、予め定められた円形外に同心円状に複数の前記変形画像の一辺を配置し、かつ、複数の前記変形画像が重ならないよう配置するパターンを選択可能なことを特徴とする請求項１に記載の画像処理装置。
【請求項７】  前記配置パターン選択手段は、前記画像が四辺を有する方形である場合に、前記配置パターンの種類として、予め定められた円形内に同心円状に複数の前記変形画像が収まり、かつ、複数の前記変形画像の特定の一辺の周辺部分が見えるように他辺の周辺部分を重ねて配置するパターンを選択可能なことを特徴とする請求項１に記載の画像処理装置。
【請求項８】  前記配置パターン選択手段は、前記画像が四辺を有する方形である場合に、前記配置パターンの種類として、予め定められた円形外に同心円状に複数の前記変形画像の一辺を配置し、かつ、複数の前記変形画像の特定の一辺の周辺部分が見えるように他辺の周辺部分を重ねて配置するパターンを選択可能なことを特徴とする請求項１に記載の画像処理装置。
【請求項９】  前記画像配置手段は、前記画像選択手段が選択した前記画像データの数に応じて、何重の多重円にするかを決定することを特徴とする請求項４に記載の画像処理装置。
【請求項１０】  前記画像配置手段は、前記多重円における各同心円に含まれる前記変形画像の数が、各前記同心円において同じまたはほぼ同じとなるよう配置することを特徴とする請求項４に記載の画像処理装置。
【請求項１１】  前記画像配置手段は、前記多重円における各同心円に含まれる前記変形画像の数が、各前記同心円において同じまたはほぼ同じとなるよう配置する際に、最も内側の前記同心円が最も画像数が少なくなるよう配置することを特徴とする請求項１０に記載の画像処理装置。
【請求項１２】  利用者に前記画像の選択を促す画像選択画面を表示装置に表示する画像選択画面表示手段を更に具備し、
前記画像選択手段は、前記画像選択画面にて前記利用者が選択した画像の前記画像データを前記記憶手段より選択することを特徴とする請求項１に記載の画像処理装置。
【請求項１３】  前記配置パターン選択手段は、前記配置パターンの種類として、予め定められた内径と外径に囲まれたドーナツ形内に複数の前記変形画像を同心円状または螺旋状に配置するパターンを選択可能なことを特徴とする請求項１に記載の画像処理装置。
【請求項１４】  前記配置パターン選択手段は、前記配置パターンの種類として、予め定められた円形内に複数の前記変形画像をランダムに配置するパターンを選択可能なことを特徴とする請求項１に記載の画像処理装置。
【請求項１５】  前記配置パターン選択手段は、前記配置パターンの種類として、予め定められた内径と外径に囲まれたドーナツ形内に複数の前記変形画像をランダムに配置するパターンを選択可能なことを特徴とする請求項１に記載の画像処理装置。
【請求項１６】  前記画像配置手段は、前記配置パターン選択手段でランダムに配置する配置パターンの種類が選択された場合には、予め定められた配置領域の中心からの距離が遠いほどより多くの前記変形画像を配置して、前記配置後画像データを生成することを特徴とする請求項１に記載の画像処理装置。
【請求項１７】  前記画像配置手段は、前記配置パターン選択手段でランダムに配置する配置パターンの種類が選択された場合には、前記変形画像を極座標系でランダムに配置して、前記配置後画像データを生成することを特徴とする請求項１に記載の画像処理装置。
【請求項１８】  前記画像データが複数種類の解像度を有する場合に、前記画像配置手段が配置する前記変形画像の解像度を特定する解像度特定手段を更に具備し、
前記画像配置手段は、前記解像度特定手段が特定した前記解像度を有する画像データを用いて前記配置後画像データを生成することを特徴とする請求項１に記載の画像処理装置。
【請求項１９】  複数の画像データを記憶する記憶手段を具備する画像処理装置における画像処理方法であって、
前記記憶手段より複数の前記画像データを選択する第１のステップと、
前記第１のステップで選択した複数の前記画像データを配置するパターンの種類を選択する第２のステップと、
前記第１のステップで選択した複数の前記画像データを、前記第１のステップで選択された画像データの数と、前記第２のステップで選択された配置パターンの種類とに応じて変形し、変形後の画像である変形画像を配置した配置後画像データを生成する第３のステップと
を有することを特徴とする画像処理方法。
【請求項２０】  前記第３のステップは、アスペクト比を変えずに前記画像データの大きさを変更して、前記配置後画像データを生成することを特徴とする請求項１９に記載の画像処理方法。
【請求項２１】  前記第２のステップは、前記配置パターンの種類として、予め定められた円形内に同心円状または螺旋状に複数の前記変形画像を等間隔に配置するパターンを選択可能なことを特徴とする請求項１９に記載の画像処理方法。
【請求項２２】  前記第２のステップでランダムに配置する配置パターンの種類が選択された場合には、前記第３のステップでは、前記変形画像を極座標系でランダムに配置して前記配置後画像データを生成することを特徴とする請求項１９に記載の画像処理方法。
【請求項２３】  複数の画像データを記憶する記憶手段を具備する画像処理装置用のプログラムを記録したコンピュータ読み取り可能な記録媒体であって、
前記記憶手段より複数の前記画像データを選択する第１のステップと、
前記第１のステップで選択した複数の前記画像データを配置するパターンの種類を選択する第２のステップと、
前記第１のステップで選択した複数の前記画像データを、前記第１のステップで選択された画像データの数と、前記第２のステップで選択された配置パターンの種類とに応じて変形し、変形後の画像である変形画像を配置した配置後画像データを生成する第３のステップと
を前記画像処理装置に実行させるためのプログラムを記録したコンピュータ読み取り可能な記録媒体。
【請求項２４】  前記第３のステップは、アスペクト比を変えずに前記画像データの大きさを変更して、前記配置後画像データを生成することを特徴とする請求項２３に記載の記録媒体。
【請求項２５】  前記第２のステップは、前記配置パターンの種類として、予め定められた円形内に同心円状または螺旋状に複数の前記変形画像を等間隔に配置するパターンを選択可能なことを特徴とする請求項２３に記載の記録媒体。
【請求項２６】  前記第２のステップでランダムに配置する配置パターンの種類が選択された場合には、前記第３のステップでは、前記変形画像を極座標系でランダムに配置して前記配置後画像データを生成することを特徴とする請求項２３に記載の記録媒体。
【請求項２７】  複数の画像データを記憶する記憶手段を具備する画像処理装置用のプログラムであって、
前記記憶手段より複数の前記画像データを選択する第１のステップと、
前記第１のステップで選択した複数の前記画像データを配置するパターンの種類を選択する第２のステップと、
前記第１のステップで選択した複数の前記画像データを、前記第１のステップで選択された画像データの数と、前記第２のステップで選択された配置パターンの種類とに応じて変形し、変形後の画像である変形画像を配置した配置後画像データを生成する第３のステップと
を前記画像処理装置に実行させるためのプログラム。
【請求項２８】  前記第３のステップは、アスペクト比を変えずに前記画像データの大きさを変更して、前記配置後画像データを生成することを特徴とする請求項２７に記載のプログラム。
【請求項２９】  前記第２のステップは、前記配置パターンの種類として、予め定められた円形内に同心円状または螺旋状に複数の前記変形画像を等間隔に配置するパターンを選択可能なことを特徴とする請求項２７に記載のプログラム。
【請求項３０】  前記第２のステップでランダムに配置する配置パターンの種類が選択された場合には、前記第３のステップでは、前記変形画像を極座標系でランダムに配置して前記配置後画像データを生成することを特徴とする請求項２７に記載のプログラム。
【手続補正２】
【補正対象書類名】明細書
【補正対象項目名】０００９
【補正方法】変更
【補正の内容】
【０００９】
【課題を解決するための手段】
この発明は、上述した課題を解決すべくなされたもので、複数の画像データを記憶する記憶手段と、前記記憶手段より複数の前記画像データを選択する画像選択手段と、前記画像選択手段が選択した複数の前記画像データを配置するパターンの種類を選択する配置パターン選択手段と、前記画像選択手段が選択した複数の前記画像データを、選択された画像データの数と、選択された配置パターンの種類とに応じて変形し、変形後の画像である変形画像を配置した配置後画像データを生成する画像配置手段とを具備することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
係る構成とすることにより、複数の画像データを選択して、選択した複数の画像データによる複数の画像を配置パターンに応じた形に変形して、変形後の画像である変形画像を配置パターンに応じて配置した配置後画像データを生成することができる。よって、例えば、円形のラベルに対して同心円状に画像を配置するときに、選択した画像の枚数によって、画像のサイズ、配置間隔などを自動調整して円形に収まるように配置することができる。
【手続補正７】
【補正対象書類名】明細書
【補正対象項目名】０１２４
【補正方法】変更
【補正の内容】
【０１２４】
【発明の効果】
円形のラベルに対して同心円状に画像を配置するときに、選択した画像の枚数によって、画像のサイズ、配置間隔などを自動調整して円形に収まるように配置することができる。